(57)【要約】【課題】  弁手段の入口側で流体中の異物を確実に捕捉することによって、弁手段での異物の付着堆積が生じない減圧蒸気加熱装置を得ること。【解決手段】  反応釜１のジャケット部１１に蒸気供給管３を接続する。蒸気供給管３には蒸気圧力調節弁７と気液分離器４を取り付ける。蒸気圧力調節弁７と気液分離器４の間に、流体供給管６を接続する。流体供給管６には、ストレーナ１８と弁手段１９を順次に配置する。ストレーナ１８のブロー通路１７に自動開閉弁２６を接続する。  蒸気供給管３からジャケット部１１へ供給される過熱蒸気は、流体供給管６から供給される冷却流体によって所定温度まで減温される。【選択図】 図１
2007218475.tif 000002
【特許請求の範囲】
【請求項１】
熱交換器と、当該熱交換器に加熱用の蒸気を供給する蒸気供給管と、熱交換器内の流体を吸引する吸引手段を接続し、蒸気供給管に流体供給管と弁手段とを接続して、当該流体供給管からの流体によって加熱用蒸気の過熱度を調節するものにおいて、流体供給管の弁手段の入口側に流体中の異物を漉し取るストレーナを配置して、当該ストレーナのブロー通路に自動開閉弁を接続して、当該自動開閉弁を開弁することによって、ストレーナ内部をブローして清浄化することを特徴とする減圧蒸気加熱装置。
【発明の詳細な説明】
【技術分野】
【０００１】
本発明は、熱交換器内の被加熱物を低圧蒸気で加熱するものに関し、特にその加熱蒸気温度が１００度Ｃ程度の比較的低温の場合に適した減圧蒸気加熱装置に関する。
【背景技術】
【０００２】
従来の減圧蒸気加熱装置は、熱交換器と、この熱交換器に加熱用の蒸気を供給する蒸気供給管と、熱交換器内の流体を吸引する吸引手段を接続し、蒸気供給管に流体供給管と弁手段とを接続して、この流体供給管からの流体によって加熱用蒸気の過熱度を調節することができると共に、弁手段と吸引手段とを連通することによって、弁手段に付着堆積した異物を、吸引手段の吸引力で吸引し除去することができるものである。
【０００３】
上記従来の減圧蒸気加熱装置では、吸引手段の吸引力でもって、弁手段に付着堆積した異物を除去するものであるが、吸引手段の吸引力だけでは弁手段に付着堆積した異物を確実に除去することができない問題があった。
【特許文献１】特開平１１−３１９５４４号公報
【発明の開示】
【発明が解決しようとする課題】
【０００４】
解決しようとする課題は、弁手段へ異物が到達できないように、弁手段の入口側で異物を確実に捕捉することによって、弁手段での異物の付着堆積を生じない減圧蒸気加熱装置を得ることである。
【課題を解決するための手段】
【０００５】
本発明は、熱交換器と、当該熱交換器に加熱用の蒸気を供給する蒸気供給管と、熱交換器内の流体を吸引する吸引手段を接続し、蒸気供給管に流体供給管と弁手段とを接続して、当該流体供給管からの流体によって加熱用蒸気の過熱度を調節するものにおいて、流体供給管の弁手段の入口側に流体中の異物を漉し取るストレーナを配置して、当該ストレーナのブロー通路に自動開閉弁を接続して、当該自動開閉弁を開弁することによって、ストレーナ内部をブローして清浄化するものである。
【発明の効果】
【０００６】
本発明は、流体供給管の弁手段の入口側に、流体中の異物を漉し取るストレーナを配置したことによって、流体供給管内を弁手段側へ流下する流体中の異物がこのストレーナにより漉し取られ、弁手段内へ異物が流入することがない。
【発明を実施するための最良の形態】
【０００７】
本発明は、流体中の異物を漉し取るストレーナを用いるものであるが、ストレーナは例えば、ステンレス製薄板に小径孔を多数貫通した漉し板と、６０ないし１２０メッシュ程度の同じくステンレス製の網の目を有する漉し網とを重ね合わせたスクリーン部材を有する従来公知のものを用いることができる。
【実施例】
【０００８】
図１において、熱交換器としての反応釜１と吸引手段２と加熱用蒸気供給管３と気液分離器４、及び、蒸気供給管３に連通して過熱蒸気を飽和温度蒸気まで減温する流体供給管６とで減圧蒸気加熱装置を構成する。
【０００９】
蒸気供給管３は図示しないボイラー等の蒸気源と接続すると共に、蒸気圧力調節弁７と開閉弁８を取り付け、流体供給管６を接続し、更に気液分離器４を取り付けて、熱交換器としての反応釜１のジャケット部１１と接続する。
【００１０】
反応釜１のジャケット部１１の下端を、蒸気トラップ１２とバルブ１３を介して吸引手段２のエゼクタ１４と接続する。
吸引手段２は、エゼクタ１４とタンク５と循環ポンプ１５に循環路１６を介して接続した組み合わせポンプとして構成する。エゼクタ１４はタンク５内の流体を循環ポンプ１５で循環して通過させることにより、その流体温度に応じた吸引力を生じるものである。
【００１１】
循管路１６を分岐して、余剰流体排出管９と流体供給管６を連通する。余剰流体排出管９には開閉弁１０を取り付けて、図示しないタンク５内のレベル計と連動してタンク５内の液位を所定レベルに維持する。
【００１２】
流体供給管６は、組み合わせポンプ２の循環流体の一部を蒸気供給管３の上部から矢印方向に供給するものであり、途中にストレーナ１８と弁手段１９とを取り付ける。ストレーナ１８は、一般的にＹ型ストレーナと呼ばれているもので、内部に円筒状の漉し板と漉し網からなるスクリーン部材を有しており、このスクリーン部材を流体が流下することによって、流体中に混入していた錆やスケール等の異物を漉し取ることができ、異物の漉し取られた流体だけが弁手段１９側へ流下することができるものである。
【００１３】
ストレーナ１８のブロー通路１７に自動開閉弁２６を接続する。ブロー通路１７は、ストレーナ１８の入口側と連通しており、スクリーン部材で漉し取られてスクリーン部材内壁に付着している異物をこのブロー通路１７から外部へ排除することができる。従って、自動開閉弁２６を開弁することによって、ストレーナ１８へ流入した流体はスクリーン部材に付着している異物をブローしてブロー通路１７と自動開閉弁２６から系外へ排除される。
【００１４】
本実施例においては、自動開閉弁２６の出口側を系外へ連通する例を示したが、自動開閉弁２６の出口側を、吸引手段２のタンク５と接続することによって、吸引手段２を循環する循環流体の減少を防止することができる。
【００１５】
弁手段１９は、その開度を調節して通過流量をコントロールすることのできるもので、ニードル弁や玉形弁等の手動弁の他、電動モーターや圧縮空気式ダイヤフラム等のアクチュエータを設けた自動弁を用いることもできる。
【００１６】
本実施例においては流体供給管６を、吸引手段２の循環流体の一部を分岐して供給するものとして示したが、流体供給管６の流体は、循環流体に限る必要はなく、別途の温度の冷却流体を用いることもできる。
【００１７】
流体供給管６と反応釜１のジャケット部１１の間に気液分離器４を配置する。気液分離器４は、従来から用いられている型式のもので良く、遠心力を利用したものや衝突板に衝突させるもの、あるいは、フィルターを用いたもの等適宜用いることができるる。気液分離器４の下部に蒸気トラップ２５を取り付け、管２４を介してエゼクタ１４と連通する。蒸気トラップ２５は、蒸気は通過させることがなく、液体としての復水だけを流下させる自動弁の一種であり、気液分離器４で分離された液体としての復水を排出するものである。なお、吸引手段２のタンク５の上部には冷却流体補給管２１を接続する。
【００１８】
反応釜１内の図示しない被加熱物を加熱する場合、蒸気供給管３から加熱用の蒸気をジャケット部１１に供給すると共に、循環ポンプ１５を駆動してエゼクタ１４で吸引力を発生させる。
【００１９】
この場合、加熱用の蒸気は蒸気圧力調節弁７で所定の圧力まで減圧されるが、圧力が減圧されても保有している熱量はほとんど減少することが無いために、減圧蒸気は過熱蒸気となる。しかしながら、流体供給管６から循環流体の一部が過熱蒸気中に供給されることによって、気液分離器４を流下する間までに過熱蒸気は飽和温度蒸気まで減温される。流体供給管６から供給される流体の量は、弁手段１９の開度を適宜調整することにより、制御することができる。
【００２０】
気液分離器４で循環流体と蒸気の混合流体はそれぞれ気液分離され、飽和温度となった蒸気はジャケット部１１に供給されて反応釜１内の被過熱物を加熱すると共に、分離された液体即ち復水は蒸気トラップ２５を通ってエゼクタ１４に吸引されタンク５に至る。
【００２１】
弁手段１９の入口側にストレーナ１８を配置したことによって、流体供給管６から弁手段１９へ流下する流体中の錆やスケール等の異物が、このストレーナ１８で漉し取られ、従って、弁手段１９内へ異物が流入することはない。
【図面の簡単な説明】
【００２２】
【図１】本発明に係る減圧蒸気加熱装置の実施例を示す構成図。
【符号の説明】
【００２３】
１  反応釜
２  吸引手段
３  蒸気供給管
４  気液分離器
５  タンク
６  流体供給管
１１  ジャケット部
１４  エゼクタ
１５  循環ポンプ
１７  ブロー通路
１８  ストレーナ
１９  弁手段
２６  自動開閉弁 
【図１】
2007218475.tif 000003